(57)【要約】【課題】  犯人に警戒されずに素早く投げられ、遠くまで投擲が可能で、当たると犯人の身体の一部を物理的に拘束して容易に逮捕できる犯人捕縛用具を提供する。【解決手段】それぞれの長さを人の肩幅程度でその長さＬ１、Ｌ２、Ｌ３が全て異なる３本のナイロン製の連結糸５、８、９の各基端を一点で連結し、それら３本のうち一つの連結糸５の先端には永久磁石製の錘４を固着するとともにその他の連結糸８、９の先端にはそれぞれ前記永久磁石製の錘４に磁着可能な金属製の錘６、７を固着する。  投げつけたときに連結糸５、８、９が当たって各錘４、６、７の遠心力で犯人の身体に連結糸５、８、９が絡まり、犯人を捕縛する。【選択図】    図４
2008070010.tif 000002
【特許請求の範囲】
【請求項１】
長さを人の肩幅の２倍程度とした高強度繊維製の連結糸の一端に永久磁石製の錘を固着するとともに他端に前記永久磁石製の錘に磁着可能な金属製の錘を固着して成り、投げつけたときに前記連結糸が前記各錘の遠心力で犯人の身体に絡まるようにしたことを特徴とする犯人捕縛用具。
【請求項２】
それぞれの長さを人の肩幅程度とした３本の連結糸の各基端を一点で連結し、それら３本のうち一つの先端には永久磁石製の錘を固着するとともにその他の先端にはそれぞれ前記永久磁石製の錘に磁着可能な金属製の錘を固着して成り、投げつけたときに前記連結糸が前記各錘の遠心力で犯人の身体に絡まるようにしたことを特徴とする犯人捕縛用具。
【請求項３】
各連結糸の長さを全て異なるようにしたことを特徴とする請求項２に記載の犯人捕縛用具。
【請求項４】
磁着可能な金属製の錘に空洞を形成し、その中に連結糸を収納できるようにしたことを特徴とする請求項１又は３のうちいずれかに記載の犯人捕縛用具。
【請求項５】
永久磁石製の錘が円筒型の永久磁石であり、その中に連結糸を収納できるようにしたことを特徴とする請求項１又は４のうちいずれかに記載の犯人捕縛用具。
【請求項６】
液体塗料が納められた袋を連結糸に連結して備え、該連結糸を引くと前記袋が開封されて中の液体塗料が放出されるようにしたことを特徴とする請求項１から５のうちいずれかに記載の犯人捕縛用具。
【請求項７】
磁着状態の各錘の形状を、人や動物などの装飾置物に形成したことを特徴とする請求項１から６のうちいずれかに記載の犯人捕縛用具。
【発明の詳細な説明】
【技術分野】
【０００１】
本発明は、犯罪者に対して犯行中に緊急使用する投擲型の犯人捕縛用具に関する。
【背景技術】
【０００２】
従来、金融機関などの窓口には、現行犯に対して咄嗟に投げつけためのカラーボールが用意されているが、そのカラーボールには投げやすく割れやすいボール形の樹脂製容器の中に赤などの目立つ色の液体塗料が入れてあり、これが犯人に当たるとその容器が割れて中の塗料が飛び散り犯人に身体や衣服に付着するようになっている。そして、その塗料が付着すると犯人であることが容易に確認できるので、犯人を捜しやすくするとともに周囲の注目を惹き犯人が逃走意欲をなくすという利点があった。
【０００３】
しかし、ボールを当てる前に犯人に遠くまで逃げられてしまうと、人の投擲力では犯人まで届かず使用することができない。そこで機械的に遠くへ飛ばせるように、カラーボールが警棒の中から発射できるとうにしたカラーボール専用の銃が提案（特許文献１参照）されている。
【特許文献１】特開２００３−１４８８９５号公報
【発明の開示】
【発明が解決しようとする課題】
【０００４】
しかし、上記特許文献１に記載の銃では、機械的に遠くに飛ばすことはできるかもしれないが、手元に置くカラーボールのように緊急時に瞬時に即応するには無理があり、準備中に犯人に逃げられるおそれがある。
また、カラーボールは犯人に投げつけたとき当たっても当たらなくても目立つ色の塗料が周囲に飛び散り、事件後の付着汚れを落とす後始末が大変であった。
さらに、塗料の付着自体は、犯人の逃走に何ら物理的な障害とはならず、自由に走って逃げられるおそれがあった。
そこで、本発明は、犯人に対して投擲するカラーボールにおける上記難点を解消するために工夫し、犯人に警戒されずに素早く投げつけることができ、その際、カラーボールよりも相当遠くまで投擲することが可能で、うまく当たると犯人の身体の一部を物理的に拘束して逃走力を奪って逮捕を容易にし、さらに事後には後粗末が不要で何度でも使用できる犯人捕縛用具を提供することを目的とする。
【課題を解決するための手段】
【０００５】
上記課題を解決するために、本発明の犯人捕縛用具は、請求項１においては、長さを人の肩幅の２倍程度とした高強度繊維製の連結糸の一端に永久磁石製の錘を固着するとともに他端に前記永久磁石製の錘に磁着可能な金属製の錘を固着して成り、投げつけたときに前記連結糸が前記各錘の遠心力で犯人の身体に絡まるようにしたことを特徴とする。
【０００６】
請求項２に記載の発明は、それぞれの長さを人の肩幅程度とした３本の連結糸の各基端を一点で連結し、それら３本のうち一つの先端には永久磁石製の錘を固着するとともにその他の先端にはそれぞれ前記永久磁石製の錘に磁着可能な金属製の錘を固着して成り、投げつけたときに前記連結糸が前記各錘の遠心力で犯人の身体に絡まるようにしたことを特徴とする。
【０００７】
請求項３に記載の発明は、上記発明において、前記各連結糸の長さを全て異なるようにしたことを特徴とする。
【０００８】
請求項４に記載の発明は、上記発明において、前記磁着可能な金属製の錘に空洞を形成し、その中に連結糸を収納できるようにしたことを特徴とする。
【０００９】
請求項５に記載の発明は、上記発明において、前記永久磁石製の錘が円筒型の永久磁石であり、その中に連結糸を収納できるようにしたことを特徴とする。
【００１０】
請求項６に記載の発明は、上記発明において、液体塗料が納められた袋を連結糸に連結して備え、該連結糸を引くと前記袋が開封されて中の液体塗料が放出されるようにしたことを特徴とする。
【００１１】
請求項７に記載の発明は、上記発明において、磁着状態の前記各錘の形状を、人や動物などの装飾置物に形成したことを特徴とする。
【発明の効果】
【００１２】
本発明の犯人捕縛用具は上記構成なので、常時は連結糸を丸め永久磁石製の錘と磁着金属製の錘とを磁着させて机の上に置いたり、ポケットの入れて携帯することができ、また、目前で犯罪が行われた時には瞬時に磁着させておいた各錘を分離して犯人に対して投擲することができ、さらに、遠くに逃げた犯人に対しては糸の中央を持って円運動を描くように振り回しつつ遠心力をつけて投擲すると遠方にまで投げることが可能となる。
そして、犯人の身体の一部に前記連結糸が当たると人の肩幅の２倍程度の長さの連結糸が犯人の身体の一部に巻きつくように錘が振り回されて、回わる各錘の遠心力で身体に強く絡まるように捕縛することができる。
その際、請求項２に記載の発明では、永久磁石製の錘と２個の磁着金属製の錘とが複雑に運動し、一旦絡まりあった連結糸は容易に外せなくなる。
使用後、犯人から外せば連結糸が切られない限り再度錘を磁着させて何度でも使用できる。
【００１３】
また、請求項３に記載の発明では、糸の中央を持って円運動を描くように振り回し、遠心力をつけて投擲すると遠方にまで投げるとき各錘間の回転径が異なるので永久磁石製の錘と磁着金属製の錘との接触が起こらず再磁着が避けられ、連結糸が伸びきっって広がった状態で投擲でき、それだけ犯人に対する接触機会が大きくなる。
【００１４】
さらに、請求項４及び請求項５に記載の発明では、前記磁着金属製の錘に形成した空洞や永久磁石製の錘の円筒内空間の中に連結糸を丸めて収納できるので、磁着させて置いておく場合や携帯する場合に連結糸が解けて垂れるなどの事態が起きず、その点で持ち運びしやすく机の上に置く場合などに見栄えが良くなる。
【００１５】
また、請求項６に記載の発明では、磁着させておいた各錘を分離して該連結糸を引くと袋が開封されて中の液体塗料が出されて連結糸に付着し、連結糸が犯人に接触したとき液体塗料が犯人の身体や衣類に付着し、犯人から連結糸が外れても液体塗料は犯人に残される。そしてその塗料で犯人であることが容易に確認でき、犯人を捜しやすくするとともに周囲の注目を惹き犯人が逃走意欲をなくす効果が得られる。
前記液体塗料は、カラーボールに比べれば、広範囲に飛散することはなく連結糸に付着して間接的に犯人に付着するので、周囲の汚れ殆どなく後始末が楽である。
【００１６】
さらに、請求項７に記載の発明では、前記磁着状態の形状が人や動物などの装飾置物となっているので、犯人捕縛用具であることを何ら疑われることなく単なる飾り置物として違和感なく机の上に置ける利点がある。
【発明を実施するための最良の形態】
【００１７】
本発明を実施するための形態を以下詳しく説明する。
本発明の犯人捕縛用具では錘が２個型と３個型があるが、まず２個型について説明する。
その錘が２個型である犯人捕縛用具については、図１に示すように、空洞１４を形成した円筒型の永久磁石の錘１と、前記永久磁石の錘１の空洞１４に対面した磁着面に開く空洞１５を形成した鉄製の錘２とを用い、長さを人の肩幅の２倍程度としたナイロン製の連結糸３の一方端を前記永久磁石の錘１の空洞１４内面に接着剤で固着し、またその連結糸３の他方端を前記鉄製の錘２の空洞１５内面に接着剤で固着する。
前記永久磁石の錘１の空洞１４と鉄製の錘２の空洞１４、１５の大きさは、その空洞１４、１５内に連結糸３が納まる程度の広さを備えた空間とする。
【００１８】
普段はナイロン製の連結糸３を前記錘１、２の空洞１４、１５内に納めて前記永久磁石の錘１と前記鉄製の錘２とを磁着させ一体にしておく。
そして、前記永久磁石の錘１と前記鉄製の錘２とを磁着させた本発明の犯人捕縛用具の数個をポケットや専用携帯ケースに入れて身体に携帯したり、仕事をしている机の手の届く場所の置いて緊急時に備える。
犯行を見たときには、磁着させておいた両錘１、２を分離し、手で錘１、２が円を描くように回転させて遠心力をつけて投げつける。
そしてうまく連結糸３が犯人の身体に当たると、連結糸３が犯人の身体に巻きつくように両錘１、２が振り回されて錘１、２の遠心力で連結糸３が身体に強く絡まるように巻き着かせることができる。
【００１９】
前記連結糸３の長さを人の肩幅程度の２倍程度としたのは、短いと手足などの身体に巻きつけることができず、長すぎると、狭い室内空間では振り回しにくくなり、手を離すタイミングが難しくなるからである。
また、前記錘１、２を分離せずに、そのまま犯人に向けて投げても良い。この場合、前記各錘１、２の合計重量は３０ｇ〜１００ｇ程度が投げる際に扱いやすく遠くに投げやすく、当てられた犯人へ相当なショックを与えることもできる。
しかし、前記錘１、２が２０ｇ程度以下であると、近いところの犯人には連結糸３を身体に絡まれることができ、その点で有効があるが、あまり軽過ぎると遠くまで投げるころが難しくなる。
なお、図中も符号１７、１８は前記連結糸３の両端部の固着部である。
【００２０】
次に錘の３個型について説明する。
この犯人捕縛用具は、図２に示すように、空洞１４を形成した円筒型の永久磁石の錘４と、前記永久磁石の錘４の空洞１４の両側に対面した磁着面に開く空洞１５、１６を形成した鉄製の錘６、７とを用い、長さＬ１、Ｌ２、Ｌ３が全て異なり且つそれぞれの長さを人の肩幅程度とした３本のナイロン製の連結糸５、８、９の各基端を一点で連結し、それら３本のうち一つの連結糸５の先端には前記永久磁石製の錘４を円筒型の空洞１４内で接着剤により固着し、またその他の連結糸８、９の先端には該永久磁石製の錘４に磁着可能な鉄製の錘６、７を前記空洞１５、１６内で接着剤により固着し、前記各錘４、６、７が一体となるように連結する。
【００２１】
前記各錘４、６、７の各空洞１４、１５、１６は、前記各錘４、６、７を磁着させて一体とした時に前記各空洞１４、１５、１６の中に前記連結糸５、８、９を丸めて収納できる広さとする。
前記各錘４、６、７の合計重量は３０ｇ〜１００ｇ程度が投げる際に扱いやすく遠くに投げやすい。
そして、普段は、上記のように本犯人捕縛用具の数個を前記錘４、６、７を磁着させて携帯したり、机の上などに載せて置くが、前記円筒型の永久磁石の錘４を挟んでその両側に磁着可能な鉄製の錘６、７を磁着させた場合、前記鉄製の錘７の連結糸９は、図２に示すように、前記円筒型の永久磁石の錘４の外部側を経てからもう一つの前記鉄製の錘６の連結糸８と繋げ、各錘４、６、７を分離したときに、図３及び図４に示すように、各連結糸５、８、９が完全に３方に開くようにする。
そのために、前記永久磁石の錘４の空洞１４の両側に対面した各磁着面には空洞１４、１５、１６内部から外部に抜ける連結糸通し溝２１、２２を設け、各面同士が密接可能になるようにすると確実に磁着できて良い。
また、各連結糸５、８、９の長さＬ１、Ｌ２、Ｌ３は全て異なるようにしたのは、連結糸５、８、９の中央を持って円運動を描くように振り回したとき、各錘４、６、７間の回転径が異なるので前記永久磁石製の錘４と磁着金属製の錘５、６との接触が起こらず再磁着が避けられ、連結糸が伸びきっって広がった状態で投擲でき、それだけ犯人に対する接触機会を大きくできるからである。
犯人への命中率を上げるには、多少の練習が必要であるが、中央を持って円運動を描くように振り回して投げれば、遠心力で単に投げるよりは遠くまで投擲することができる。
なお、図中も符号１７、１８、１９は前記連結糸８、５、９の端部の固着部である。
【００２２】
そして、使用時には磁着させておいた錘４、６、７を分離して投げるが、各連結糸５、８、９が犯人の身体に当たると、図５に示すように、連結糸５、８、９が犯人の身体に巻きつくように各錘４、６、７が振り回されて遠心力で身体に強く絡まるように巻き着かせることができる。
前記各錘４、６、７間の連結糸５、８、９の長さを人の肩幅程度の長さ乃至その２倍程度の長さにしたのは、上記の錘が２個型の場合と同様に、短いと手足などの身体に巻きつけることができず、長すぎると、狭い室内空間では振り回しにくくなり、手を離すタイミングが難しくなるからである。
なお、使用する前記各連結糸３、５、８、９は、釣り糸に用いられているようなナイロンなどの素材の、犯人が簡単に切ることができないように強度が強く、且つ飛翔中の空気抵抗が最小限になるように細く、また犯人に巻き着いたときに複雑に絡まるように腰が弱く柔軟であるものが好ましい。
このことによって、一旦絡まった細い各連結糸３、５、８、９は、もがくほど身体に食い込み、より外しにくくすることができる。
【００２３】
また、上記錘が２個又は３個型のいずれについても、図６に示すように、空洞１４、１５、１６中にオレンジ色などの目立つ液体塗料１１が納められた袋１０を連結糸に連結して収納し、使用する際に各連結糸３、５、８、９が引かれると、前記袋１０の開封部１１ａが破れて中の液体塗料１１が放出され、各連結糸３、５、８、９に付着できるようにすることが可能である。
この形態では、連結糸３、５、８、９が犯人に接触したとき液体塗料１１が犯人の身体や衣類に付着し、その後犯人から連結糸３、５、８、９が外れても液体塗料１１は犯人に残され、その塗料１１で犯人であることが容易に確認できようになる。
【００２４】
さらに、前記磁着状態の各錘１、２の形状を、図８に示すように、人や動物などの装飾置物１３に形成すれば、前記犯人捕縛用具が単なる飾り置物とし違和感なく机の上に置け、これをとっさに手にしても犯人から何ら警戒されることなく迅速な行動を起こせる利点がある。
【００２５】
なお、各錘１、２、４、６、７の表面を、図７に示すように、弾力樹脂１２で被覆すれば、投擲した錘が誤って犯人以外の人に当たってしまった場合や窓ガラスに当たってしまった場合の損傷を最小限に止めることがきる。
【産業上の利用可能性】
【００２６】
本発明は、投擲タイプの犯人捕縛用具であるが、犯人が近寄ってきたときに振り回して自己防御したり、取り押さえた際に手足を捕縛する道具として利用することも可能である。
【図面の簡単な説明】
【００２７】
【図１】本発明の錘の磁着状態を示す縦断斜視図である。
【図２】別の形態の錘の磁着状態を示す縦断斜視図である。
【図３】図２の形態の各錘を離した状態を示す斜視図である。
【図４】図２の形態の連結糸を伸ばした状態を示す斜視図である。
【図５】図２の形態の使用状態を示す斜視図である。
【図６】別の形態の錘の磁着状態を示す縦断斜視図である。
【図７】別の態様の各錘を離した状態を示す斜視図である。
【図８】別の態様の斜視図である。
【符号の説明】
【００２８】
１    永久磁石製の錘
２    磁着金属製の錘
３    連結糸
４    永久磁石製の錘
５    連結糸
６    磁着金属製の錘
７    磁着金属製の錘
８    連結糸
９    連結糸
１０  液体塗料
１１  袋
１１ａ  開封部
１２  弾力樹脂
１３  装飾置物
１４  空洞
１５  空洞
１６  空洞
１７  固着部
１８  固着部
１９  固着部
２０  連結糸同士の固着部
２１  連結糸通し溝
２２  連結糸通し溝
Ｌ１  連結糸の長さ
Ｌ２  連結糸の長さ
Ｌ３  連結糸の長さ
【図１】
2008070010.tif 000003
【図２】
2008070010.tif 000004
【図３】
2008070010.tif 000005
【図４】
2008070010.tif 000006
【図５】
2008070010.tif 000007
【図６】
2008070010.tif 000008
【図７】
2008070010.tif 000009
【図８】
2008070010.tif 000010